(57)【要約】  このフィッティングルームは、ミラー（９）と、内蔵カメラ（Ｄｃ）を有する複数の携帯コンピューティングデバイス（Ｄ）の任意のいずれかが入れ換え可能かつ取り外し可能に取り付けられるように構成および配置され、ミラー（９）またはミラー（９）に固定された構造部材に物理的に取り付けられた支持具（２，１２，２２，３２）と、支持具（２，１２，２２，３２）に取り付けられた携帯コンピューティングデバイス（Ｄ）の内蔵カメラ（Ｄｃ）でミラー（９）の前方に位置するユーザの１つ以上の画像を取得するために、支持具（２，１２，２２，３２）に取り付けられた携帯コンピューティングデバイス（Ｄ）または支持具（２，１２，２２，３２）に取り付けられる携帯コンピューティングデバイス（Ｄ）との通信リンクを確立させるように構成されたローカルコンピューティングエンティティ（ＳＬ）と、を備えるポートレート写真システムを備える。このコンピュータプログラムは、本発明のフィッティングルームのシステムを動作させるように構成されたコンピュータサブプログラムを含む。
2019522824.tif 000002
【特許請求の範囲】
【請求項１】
・ミラー（９、１０）と、
・前記ミラー（９、１０）に対し、少なくとも１つの内蔵カメラを有しているコンピューティングデバイスを、前記内蔵カメラが前記ミラー（９、１０）の前方に位置するユーザの画像を取得すべく位置するように取り付けるための取り付け手段と
を備えるポートレート写真システムを備えるフィッティングルームであって、
前記システムは、前記コンピューティングデバイスが、内蔵カメラ（Ｄｃ）を有する携帯コンピューティングデバイス（Ｄ）であること、
・前記取り付け手段が、前記ミラー（９、１０）または前記ミラーに固定された構造部材（Ｗ）に物理的に取り付けられた支持具（２、１２、２２、３２）を備え、前記支持具（２、１２、２２、３２）は、内蔵カメラ（Ｄｃ）を有する複数の前記携帯コンピューティングデバイス（Ｄ）の任意のいずれかが入れ換え可能かつ取り外し可能に取り付けられるように構成および配置されていること、および
・前記システムが、前記支持具（２、１２、２２、３２）に取り付けられた携帯コンピューティングデバイス（Ｄ）の内蔵カメラ（Ｄｃ）で前記ミラー（９、１０）の前方に位置するユーザの１つ以上の画像を取得するために、前記支持具（２、１２）に取り付けられた携帯コンピューティングデバイス（Ｄ）または前記支持具（２、１２）に取り付けられる携帯コンピューティングデバイス（Ｄ）との通信リンクを確立させるように構成されたローカルコンピューティングエンティティ（ＳＬ）をさらに備えること、
を特徴とするフィッティングルーム。
【請求項２】
前記システムは、前記支持具（２、１２、２２、３２）に取り外し可能に取り付けられた前記携帯コンピューティングデバイス（Ｄ）をさらに含む、請求項１に記載のフィッティングルーム。
【請求項３】
前記通信リンクは、有線または無線の通信双方向リンクであり、前記ローカルコンピューティングエンティティ（ＳＬ）および前記携帯コンピューティングデバイス（Ｄ）は、前記携帯コンピューティングデバイス（Ｄ）が前記支持具（２、１２、２２、３２）に取り付けられたならば互いに前記有線または無線の通信双方向リンクを自動的に確立させるように構成されている、請求項１または２に記載のフィッティングルーム。
【請求項４】
前記通信リンクは、有線または無線の通信双方向リンクであり、前記ローカルコンピューティングエンティティ（ＳＬ）および前記携帯コンピューティングデバイス（Ｄ）は、少なくとも識別の目的のために、前記ローカルコンピューティングエンティティ（ＳＬ）と前記携帯コンピューティングデバイスとの間の一意の関連付けを実行するために、前記携帯コンピューティングデバイス（Ｄ）が前記ローカルコンピューティングエンティティ（ＳＬ）に近接する所定の領域内に位置したならば互いに前記有線または無線の通信双方向リンクを自動的に確立させるように構成されている、請求項１または２に記載のフィッティングルーム。
【請求項５】
前記ローカルコンピューティングエンティティ（ＳＬ）は、少なくとも前記携帯コンピューティングデバイス（Ｄ）に一意に関連付けられた前記携帯コンピューティングデバイス（Ｄ）に関するユーザＩＤまたは前記携帯コンピューティングデバイス（Ｄ）において動作中のアプリケーションプログラムに関連付けられたユーザＩＤを、前記通信双方向リンクを介して受信し、前記ユーザＩＤを識別および検証するように構成されている、請求項３または４に記載のフィッティングルーム。
【請求項６】
前記システムは、前記携帯コンピューティングデバイス（Ｄ）および／または前記ローカルコンピューティングエンティティ（ＳＬ）との双方向通信を確立させ、少なくとも前記携帯コンピューティングデバイス（Ｄ）に関連付けられ、前記ローカルコンピューティングエンティティ（ＳＬ）に一意に関連付けられ、あるいは前記携帯コンピューティングデバイス（Ｄ）において動作中のアプリケーションプログラムに関連付けられたユーザＩＤを受信し、前記ユーザＩＤを識別および検証するように構成されたリモートコンピューティングエンティティ（ＳＲ）をさらに備える、請求項３から５のいずれか一項に記載のフィッティングルーム。
【請求項７】
前記ローカルコンピューティングエンティティ（ＳＬ）は、自身で、または前記リモートコンピューティングエンティティ（ＳＲ）の制御のもとで、前記ミラー（９）の前方に位置するユーザの１つ以上の画像を取得すべく前記携帯コンピューティングデバイス（Ｄ）の前記少なくとも１つの内蔵カメラ（Ｄｃ）を制御するように構成されている、請求項５または６に記載のフィッティングルーム。
【請求項８】
前記支持具（２）は、単独での前記ローカルコンピューティングエンティティ（ＳＬ）または前記リモートコンピューティングエンティティ（ＳＲ）の制御下の前記ローカルコンピューティングエンティティ（ＳＬ）の制御のもとで、少なくとも１つの水平軸を中心にして複数の位置の間を移動可能であり、前記支持具（２）は、前記ユーザＩＤが検証されたならば、ユーザの身長に沿って一連のユーザの異なる部位をカバーする画像が取得されるように、前記複数の位置の各々について少なくとも１つの画像が取得されるように前記１つ以上の画像の取得に同期して前記複数の位置の間を移動可能である、請求項７に記載のフィッティングルーム。
【請求項９】
前記支持具（１２、２２、３２）は、固定されており、前記システムは、ユーザの身長に沿った異なる部位を含むユーザの少なくとも１つの歪んだ画像を単一のショットで取得できるよう、前記支持具（１２、２２、３２）に取り付けられた携帯コンピューティングデバイス（Ｄ）の少なくとも１つの内蔵カメラ（Ｄｃ）に対して所定の距離または向きに保たれるように前記支持具（１２、２２、３２）に取り付けられた光学要素（１０）を含む、請求項５から７のいずれか一項に記載のフィッティングルーム。
【請求項１０】
前記ミラー（９）は、主ミラーであり、前記光学要素（１０）は、凸面を前記主ミラー（９）の前方に位置するユーザに面し、かつ背面内蔵カメラである前記内蔵カメラ（Ｄｃ）にも面するように位置させた凸面鏡であり、前記携帯コンピューティングデバイス（Ｄ）は、前記少なくとも１つの歪んだ画像の取得を生じさせるためのタイマーのカウントダウンを開始させるためにユーザによって押される仮想のボタンを含む前記携帯コンピューティングデバイス（Ｄ）において動作中の前記アプリケーションプログラムによってもたらされるグラフィック要素を表示し、かつ前記凸面鏡（１０）上の前記ユーザの歪んだ反射画像または前記アプリケーションプログラムによって実行される歪んだ画像の事前補正によって生成されるユーザの歪みのないプレビュー画像も表示する前面表示タッチ画面（Ｄｓ）を備えている、請求項９に記載のフィッティングルーム。
【請求項１１】
前記支持具（２、１２、２２、３２）は、前記携帯コンピューティングデバイス（Ｄ）にしっかりと結合して前記ユーザの画像を取得するための適切な位置に保持する結合装置（２ｂ、１２ｂ、２２ｂ、３２ｂ）を備える、請求項１から１０のいずれか一項に記載のフィッティングルーム。
【請求項１２】
前記光学要素（１０）は、前記支持具（１２）に対して可動であり、前記システムは、電気モータと前記可動な光学要素に機械的に接続されたシネマティックチェーンとを含む駆動手段、および前記支持具（１２）に取り付けられた携帯コンピューティングデバイス（Ｄ）の背面内蔵カメラ（Ｄｃ）の位置を検出するための位置センサを備え、前記ローカルコンピューティングエンティティ（ＳＬ）は、少なくともそれぞれの背面内蔵カメラ（Ｄｃ）が異なる位置に配置されているという点において相違する携帯コンピューティングデバイス（Ｄ）に合わせて前記システムを調整するために、前記位置センサの出力および前記電気モータの入力に接続され、前記検出される位置に基づいて前記光学要素を移動させるべく前記電気モータを制御する、請求項９または１０に従属するときの請求項１１に記載のフィッティングルーム。
【請求項１３】
前記携帯コンピューティングデバイス（Ｄ）は、前記ユーザＩＤが検証されたならば、
・受信した一連の画像または受信した歪んだ画像を処理し、一連の画像の合成または少なくとも１つの歪んだ画像の歪み補正のそれぞれから前記ユーザの単一のパノラマ画像を得るように構成された前記ローカルコンピューティングエンティティ（ＳＬ）または前記リモートコンピューティングエンティティ（ＳＲ）に、前記一連の画像または前記少なくとも１つの歪んだ画像を送信し、あるいは
・取得した一連の画像または取得した歪んだ画像を自身で処理し、一連の画像の合成または少なくとも１つの歪んだ画像の歪み補正のそれぞれから前記ユーザの単一のパノラマ画像を得る
ように構成されている、請求項２に従属するときの請求項７から１０のいずれか一項に記載のフィッティングルーム。
【請求項１４】
前記システムは、前記ユーザが着用した衣類に取り付けられたＩＤタグを読み取る少なくとも１つのタグ符号リーダ（５、６）をさらに備え、前記ローカルコンピューティングエンティティ（ＳＬ）および／または前記リモートコンピューティングエンティティ（ＳＲ）は、前記少なくとも１つのタグ符号リーダ（５、６）の出力へと接続され、あるいは前記少なくとも１つのタグ符号リーダ（５、６）の一部を実行することで、前記ミラー（９）の前方に位置するユーザが着用した衣類を識別するＩＤデータを入手し、取得されたユーザの画像または取得されるユーザの画像に前記ＩＤデータを関連付ける、請求項１から１３のいずれか一項に記載のフィッティングルーム。
【請求項１５】
前記ローカルコンピューティングエンティティ（ＳＬ）および前記携帯コンピューティングデバイス（Ｄ）は、前記携帯コンピューティングデバイス（Ｄ）が揺動させられていることを表す信号が前記ローカルコンピューティングエンティティ（ＳＬ）によって受信された場合に限り、互いに前記有線または無線の通信双方向リンクを自動的に確立させるように構成され、前記携帯コンピューティングデバイス（Ｄ）は、自身のシェイクを検出し、該検出に応答して前記信号を生成して前記ローカルコンピューティングエンティティ（ＳＬ）へと送信するためのセンサ手段を含み、前記ローカルコンピューティングエンティティ（ＳＬ）は、前記有線または無線の通信双方向リンクを自動的に確立させるために前記信号を受信して処理するように構成されている、請求項５から７のいずれか一項に記載のフィッティングルーム。
【請求項１６】
前記支持具（２２）は、前記ミラー（９）が前記支持具（２２）に取り付けられた携帯コンピューティングデバイス（Ｄ）の少なくとも１つの内蔵カメラ（Ｄｃ）に対してユーザの身長に沿った異なる部位を含むユーザの少なくとも１つの画像を単一のショットで取得できるようにするための所定の距離および向きに位置し続けるように、固定されており、前記ミラー（９）へと取り付けられている、請求項５から７のいずれか一項に記載のフィッティングルーム。
【請求項１７】
前記支持具（２２、３２）は、固定されており、前記構造部材（Ｗ）または前記ミラー（９）へと取り付けられており、前記システムは、前記支持具（２２、３２）に取り付けられた携帯コンピューティングデバイス（Ｄ）の少なくとも１つの内蔵カメラ（Ｄｃ）に対してユーザの身長に沿った異なる部位を含むユーザの少なくとも１つの歪んだ画像を単一のショットで取得できるようにするための所定の距離および向きに位置し続けるように、前記構造部材（Ｗ）またはミラー（９）にまた取り付けられた別の光学要素（１０）を含んでいる、請求項５から７のいずれか一項に記載のフィッティングルーム。
【請求項１８】
前記支持具（２２）および前記光学要素（１０）は、前記構造部材（Ｗ）へと取り付けられ、前記光学要素（１０）は、凸面鏡である前記ミラー（９、１０）であって、凸面を前記構造部材（Ｗ）の前方に位置するユーザに向け、かつ前記凸面鏡（１０）に向けられた前記内蔵カメラ（Ｄｃ）にも向けており、前記携帯コンピューティングデバイス（Ｄ）は、前記少なくとも１つの歪んだ画像の取得を生じさせるためのタイマーのカウントダウンを開始させるためにユーザによって押される仮想のボタンを含む前記携帯コンピューティングデバイス（Ｄ）において動作中の前記アプリケーションプログラムによってもたらされるグラフィック要素を表示し、かつ前記凸面鏡（１０）上の前記ユーザの歪んだ反射画像または前記アプリケーションプログラムによって実行される歪んだ画像の事前補正によって生成されるユーザの歪みのないプレビュー画像も表示する前面表示タッチ画面（Ｄｓ）を備えている、請求項１７に記載のフィッティングルーム。
【請求項１９】
前記ミラー（９）は、前記支持具（１２）および前記光学要素（１０）が取り付けられた主ミラーであり、前記光学要素（１０）は、凸面鏡であって、凸面を前記主ミラー（９）の前方に位置するユーザに向け、かつ前記凸面鏡（１０）に向けられた前記内蔵カメラ（Ｄｃ）にも向けており、前記携帯コンピューティングデバイス（Ｄ）は、前記少なくとも１つの歪んだ画像の取得を生じさせるためのタイマーのカウントダウンを開始させるためにユーザによって押される仮想のボタンを含む前記携帯コンピューティングデバイス（Ｄ）において動作中の前記アプリケーションプログラムによってもたらされるグラフィック要素を表示し、かつ前記凸面鏡（１０）上の前記ユーザの歪んだ反射画像または前記アプリケーションプログラムによって実行される歪んだ画像の事前補正によって生成されるユーザの歪みのないプレビュー画像も表示する前面表示タッチ画面（Ｄｓ）を備えている、請求項１７に記載のフィッティングルーム。
【請求項２０】
前記支持具（２、１２、２２、３２）は、異なる寸法を有する複数の携帯コンピューティングデバイス（Ｄ）の任意のいずれかが入れ換え可能かつ取り外し可能に取り付けられるように構成および配置されている、請求項１から１９のいずれか一項に記載のフィッティングルーム。
【請求項２１】
請求項１から２０のいずれか一項に記載のフィッティングルームのポートレート写真システムの少なくとも前記携帯コンピューティングデバイス（Ｄ）および前記ローカルコンピューティングエンティティ（ＳＬ）のそれぞれのプロセッサにおいて実行されたときに、前記通信リンクの確立および前記画像の取得を含む前記携帯コンピューティングデバイス（Ｄ）および前記ローカルコンピューティングエンティティ（ＳＬ）に係わる動作を実行する符号命令を含むコンピュータサブプログラムを含んでいるコンピュータプログラム。
【発明の詳細な説明】
【技術分野】
【０００１】
本発明は、広くには、第１の態様において、コンピューティングデバイスの内蔵カメラによってミラーの前方に位置するユーザの画像を取得することを可能にするポートレート写真システムを備えるフィッティングルームに関し、より詳細には、複数のユーザのそれぞれの個人携帯コンピューティングデバイスの内蔵カメラを用いて画像の取得を実行することを可能にするシステムに関する。
【０００２】
本発明の第２の態様は、第１の態様のシステムを動作させるように構成されたコンピュータサブプログラムを含むコンピュータプログラムに関する。
【背景技術】
【０００３】
ミラーおよびカメラを備えており、ミラーの前方に位置するユーザが自身の鏡像を眺め、カメラを自動的またはユーザの介入によって作動させることによって鏡像においてとったポーズと同じポーズを示す自身の１つ以上の画像を取得することができるポートレート写真システムを備えるいくつかのフィッティングルームが、技術的に知られている。
【０００４】
これらの既知のフィッティングルームのいくつかを開示するいくつかの特許文献は、例えば、欧州特許出願公開第１３５１１７２号明細書、国際公開第２００６／０２１８２４号、および韓国特許出願公開第２０１４００１８５９９号明細書である。
【０００５】
既知のフィッティングルームに含まれる既知のすべてのシステムは、ミラーなどの構造部材に取り外すことができないように取り付けられた少なくとも１つのカメラを含み、カメラは、一般的には、透過ミラー（ｏｎｅ−ｗａｙ  ｍｉｒｒｏｒ）であり、あるいはユーザの画像をカメラによって取得するための貫通穴を有しているミラーの背後に位置する。
【０００６】
これらの既知のシステムの大部分において、カメラは、携帯コンピューティングデバイスの内蔵カメラではない。
【０００７】
特開２００２−３２５１６０号公報が、カメラを備えるポートレート写真システムを有するフィッティングルームであって、携帯コンピューティングデバイスのカメラではないカメラがフィッティングルームの鏡の後ろ側に接地されているフィッティングルームを開示している。この文献は、段落［００４０］において、ユーザの携帯電話機のカメラを使用することができると大まかに述べているが、この文献は、この携帯カメラ電話機の従来にない使用について何も述べておらず、したがって従来からの使用、すなわちユーザが自身の携帯カメラ電話機を自身の手で保持して使用することや、最大でも従来からの「自撮り（ｓｅｌｆｉｅ）」棒を使用することを、遠回しに開示しているにすぎないと考えられる。
【０００８】
国際公開第２００９／０２９９４９号が、カメラが取り付けられ、かつコンピュータ端末を備えている対話式表示装置を含むフィッティングルームを開示している。一実施形態において、コンピュータ端末の通信モジュールが、表示装置に取り付けられたカメラによって撮影された画像を受信および送信することができるモバイルデバイス構成要素を含んでいるが、この文献において、モバイルデバイスモジュールに内蔵されたカメラを含み、あるいは使用することは、全く述べられていない。
【０００９】
国際公開第２００６／０２１８２４号が、カメラがコンピュータデバイスの内蔵カメラであり、とくには携帯電話通信ネットワークを介するＭＭＳの送信に適したいわゆるＭＭＳ端末の内蔵カメラであるシステムを備えるフィッティングルームを開示している。しかしながら、カメラはミラーの表面の内側に配置され、したがってカメラを含む端末は、取り外すことができないようにミラーに取り付けられており、すなわちこの文献において述べられているとおり、「局地的（ｌｏｃａｌｌｙ）に設置」されている。
【００１０】
国際公開第２００６／０２１８２４号は、スマートフォンを使用して自身の写真を撮影（自撮りとしても知られる）する利点を述べ、とくには取得した画像を携帯電話通信ネットワークを介して送信することができるという事実に関係する利点を述べているが、この文献においてなされている提案は、ユーザが自身の写真を撮影するために自身の所有するスマートフォンを使用する場合について、これらのスマートフォンの使用に関する欠点（「カメラとユーザとの間の距離が腕の長さによって制限されるため、ユーザは他の誰かの手助けを必要とする」）の克服に焦点を合わせている。したがって、国際公開第２００６／０２１８２４号が提案する解決策は、ミラー内に１台のスマートフォンを一体化させることであり、ひとたびスマートフォンがミラー内に配置されると、そのスマートフォンはもはや携帯機器ではなく、むしろ対照的に、位置固定のコンピューティングデバイスになる。
【００１１】
既知のシステムのいずれも、プライバシー問題のために（大部分の国々で）フィッティングルームに関して取り付けられたカメラを含むシステムの使用が法的に禁じられているという事実に関連する問題を、提起していない。
【００１２】
国際公開第２００６／０２１８２４号は、本発明の請求項１の冒頭部分に定められる特徴を含むが、この文献は、上述の問題（および、それに関連する技術的課題）を提起していないだけでなく、むしろ位置固定のカメラを含むシステムを提案しているがゆえに、この問題に対する解決策の提供から遠ざかる教示を行っているといえる。
【先行技術文献】
【特許文献】
【００１３】
【特許文献１】欧州特許出願公開第１３５１１７２号明細書
【特許文献２】国際公開第２００６／０２１８２４号
【特許文献３】韓国特許出願公開第２０１４００１８５９９号明細書
【特許文献４】特開２００２−３２５１６０号公報
【特許文献５】国際公開第２００９／０２９９４９号
【発明の概要】
【発明が解決しようとする課題】
【００１４】
したがって、技術水準に対する代案であって、技術水準において見られる欠点に対処し、上述の問題に対する解決策を提供する代案を提供することが、必要である。
【課題を解決するための手段】
【００１５】
この目的のために、本発明は、第１の態様において、
・ミラーと、
・前記ミラーに対し、少なくとも１つの内蔵カメラを有しているコンピューティングデバイスを、内蔵カメラが前記ミラーの前方に位置するユーザの画像を取得すべく位置するように取り付けるための取り付け手段と
を公知のやり方で備えるポートレート写真システムを備えるフィッティングルーム（試着ルームとしても知られる）に関する。
【００１６】
先行技術のシステムとは対照的に、本発明の第１の態様のフィッティングルームのシステムにおいては、特徴的なやり方で、コンピューティングデバイスが、内蔵カメラを有する携帯コンピューティングデバイスであり、
・上述の取り付け手段が、前記ミラーまたは前記ミラーに固定された構造部材（壁など）に物理的に取り付けられた支持具を備え、前記支持具は、内蔵カメラを有する複数の前記携帯コンピューティングデバイス（スマートフォン、タブレット、など）の任意のいずれかが入れ換え可能かつ取り外し可能に取り付けられるように構成および配置され、
・システムが、支持具に取り付けられた携帯コンピューティングデバイスの内蔵カメラで前記ミラーの前方に位置するユーザの１つ以上の画像を取得するために、前記支持具に取り付けられた携帯コンピューティングデバイスまたは前記支持具に取り付けられる携帯コンピューティングデバイスとの通信リンクを確立させるように構成されたローカルコンピューティングエンティティをさらに備える。
【００１７】
したがって、本発明によって提供されるシステムは、いくつかの用途について、取り付け済みのカメラを含むシステムの使用禁止という上述の問題に関連する新たな技術的問題に対し、解決策を構成する。
【００１８】
一実施形態において、本発明の第１の態様のフィッティングルームのシステムは、支持具に取り外し可能に取り付けられた携帯コンピューティングデバイスをさらに備える。
【００１９】
一実施形態において、前記ミラーは、全身または全長のミラーであり、すなわちミラーの前方に位置するユーザの全身を映すような大きさのミラーである。
【００２０】
一実施形態によれば、上述の通信リンクは、有線または無線の通信双方向リンクであり、ローカルコンピューティングエンティティおよび携帯コンピューティングデバイスは、少なくとも識別の目的のために、ローカルコンピューティングエンティティと携帯コンピューティングデバイスとの間の一意の関連付けを実行するために、携帯コンピューティングデバイスが前記支持具に取り付けられ、あるいは前記支持具に近接する所定の領域内に位置したならば、互いに前記有線または無線の通信双方向リンクを自動的に確立させるように構成される。
【００２１】
いくつかの実施形態において、前記双方向リンクは、ローカルコンピューティングエンティティと携帯コンピューティングデバイスとの間のマッチングまたはペアリングであり、あるいはより単純なリンク、すなわちより単純なネゴシエーションを含むリンクである。
【００２２】
好ましくは、通信双方向リンクは、ＷｉＦｉまたはＢｌｕｅｔｏｏｔｈリンクあるいはＮＦＣリンクなどの無線式である。
【００２３】
一実施形態において、ローカルコンピューティングエンティティは、少なくとも携帯コンピューティングデバイスに一意に関連付けられた携帯コンピューティングデバイスに関するユーザＩＤまたは携帯コンピューティングデバイスにおいて動作中のアプリケーションプログラムに関連付けられたユーザＩＤを、前記通信双方向リンクを介して受信し、前記ユーザＩＤを識別および検証するように構成される。
【００２４】
一実施形態において、ローカルコンピューティングエンティティおよび前記携帯コンピューティングデバイスは、携帯コンピューティングデバイスが揺動させられていることを表す信号がローカルコンピューティングエンティティによって受信された場合に限り、互いに前記有線または無線の通信双方向リンクを自動的に確立させるように構成され、携帯コンピューティングデバイスは、自身のシェイクを検出し、この検出に応答して前記信号を生成してローカルコンピューティングエンティティへと送信するためのセンサ手段（加速度計など）を含み、ローカルコンピューティングエンティティは、前記有線または無線の通信双方向リンクを自動的に確立させるために前記信号を受信して処理するように構成される。
【００２５】
上述の実施形態に代わり、あるいは上述の実施形態を補足する別の実施形態において、本発明の第１の態様のフィッティングルームのシステムは、携帯コンピューティングデバイスおよび／またはローカルコンピューティングエンティティとの双方向通信を確立させ、少なくとも携帯コンピューティングデバイスに関連付けられ、ローカルコンピューティングエンティティに一意に関連付けられ、あるいは携帯コンピューティングデバイスにおいて動作中のアプリケーションプログラムに関連付けられたユーザＩＤを受信し、前記ユーザＩＤを識別および検証するように構成されたリモートコンピューティングエンティティをさらに備える。
【００２６】
一実施形態によれば、ローカルコンピューティングエンティティは、自身で、または前記リモートコンピューティングエンティティの制御のもとで、ミラーの前方に位置するユーザの１つ以上の画像を取得すべく携帯コンピューティングデバイスの少なくとも１つの内蔵カメラを制御するように構成される。
【００２７】
上述の支持具に関し、一実施形態において、支持具は、好ましくは、携帯コンピューティングデバイスにしっかりと結合し、携帯コンピューティングデバイスをユーザの画像を取得するための適切な位置に保持するための結合装置を備える。
【００２８】
一実施形態において、支持具は、単独でのローカルコンピューティングエンティティまたはリモートコンピューティングエンティティの制御下のローカルコンピューティングエンティティの制御のもとで、少なくとも１つの水平軸を中心にして複数の位置の間を移動可能であり、支持具は、ユーザＩＤが検証されたならば、ユーザの身長に沿って一連のユーザの異なる部位をカバーする画像が取得されるように、前記複数の位置の各々について少なくとも１つの画像が取得されるように１つ以上の画像の取得に同期して複数の位置の間を移動可能である。
【００２９】
別の実施形態においては、支持具は固定されており（ｓｔａｔｉｏｎａｒｙ）、システムは、ユーザの身長に沿った異なる部位を含み、好ましくはユーザの全身を含むユーザの少なくとも１つの歪んだ画像を単一のショットで取得できるよう、支持具に取り付けられた携帯コンピューティングデバイスの内蔵カメラに対して所定の距離または向きに保たれるように支持具に取り付けられた光学要素を含む。
【００３０】
前記実施形態の好ましい変種において、上述のミラーは、主ミラーであり、前記光学要素は、凸面を主ミラーの前方に位置するユーザに面し、かつ背面内蔵カメラ、すなわち前記凸面鏡を狙うカメラである内蔵カメラにも面するように位置させた凸面鏡であり、前記携帯コンピューティングデバイスは、ミラーの前方で所望のポーズをとることをユーザにとって可能にするための充分な所定の時間の経過後に前記少なくとも１つの歪んだ画像の取得を生じさせるためのタイマーのカウントダウンを開始させるためにユーザによって押される仮想のボタンを含む携帯コンピューティングデバイスにおいて動作中の前記アプリケーションプログラムによってもたらされるグラフィック要素を表示し、かつ凸面鏡上のユーザの歪んだ反射画像またはアプリケーションプログラムによって実行される歪んだ画像の事前補正によって生成されるユーザの歪みのないプレビュー画像も表示する前面表示タッチ画面を備える。
【００３１】
支持具に取り付けられた携帯コンピューティングデバイスの内蔵カメラでユーザの異なる部位をカバーする歪んだ画像を取得することを可能にするための適切な形状および屈折率を有しているプリズム、または平板ミラーなど、反射および透過の光学要素、あるいはそれらの組み合わせを含む他の代案の光学要素も、上述の実施形態の他の変種に包含される。
【００３２】
別の実施形態において、支持具は、ミラーが支持具に取り付けられた携帯コンピューティングデバイスの内蔵カメラに対してユーザの身長に沿った異なる部位を含むユーザの少なくとも１つの画像を単一のショットで取得できるようにするための所定の距離および向きに位置し続けるように、固定されており、ミラーへと取り付けられる。
【００３３】
別の実施形態によれば、支持具は、固定されており、上述の構造部材（壁など）または上述のミラーに取り付けられ、システムは、支持具に取り付けられた携帯コンピューティングデバイスの内蔵カメラに対してユーザの身長に沿った異なる部位を含むユーザの少なくとも１つの歪んだ画像を単一のショットで取得できるようにするための所定の距離および向きに位置し続けるように、構造部材またはミラーにまた取り付けられた別の光学要素を含む。
【００３４】
前記実施形態の一実施例において、支持具および光学要素は、構造部材へと取り付けられ、前記光学要素は、凸面鏡である前記ミラーであって、凸面を前記構造部材の前方に位置するユーザに向け、かつ前記凸面鏡を狙う内蔵カメラにも向けており、携帯コンピューティングデバイスは、前記少なくとも１つの歪んだ画像の取得を生じさせるためのタイマーのカウントダウンを開始させるためにユーザによって押される仮想のボタンを含む携帯コンピューティングデバイスにおいて動作中の前記アプリケーションプログラムによってもたらされるグラフィック要素を表示し、かつ凸面鏡上のユーザの歪んだ反射画像またはアプリケーションプログラムによって実行される歪んだ画像の事前補正によって生成されるユーザの歪みのないプレビュー画像も表示する前面表示タッチ画面を備える。
【００３５】
前記実施形態の別の実施例において、上述のミラーは、支持具および光学要素が取り付けられる主ミラー（全身または全長ミラーなど）であり、前記光学要素は、凸面鏡であって、凸面を前記主ミラーの前方に位置するユーザに向け、かつ前記凸面鏡を狙う内蔵カメラにも向けており、携帯コンピューティングデバイスは、前記少なくとも１つの歪んだ画像の取得を生じさせるためのタイマーのカウントダウンを開始させるためにユーザによって押される仮想のボタンを含む携帯コンピューティングデバイスにおいて動作中の前記アプリケーションプログラムによってもたらされるグラフィック要素を表示し、かつ凸面鏡上のユーザの歪んだ反射画像またはアプリケーションプログラムによって実行される歪んだ画像の事前補正によって生成されるユーザの歪みのないプレビュー画像も表示する前面表示タッチ画面を備える。
【００３６】
一実施形態によれば、支持具は、異なる寸法を有する複数の携帯コンピューティングデバイスの任意のいずれかが入れ換え可能かつ取り外し可能に取り付けられるように構成および配置される。
【００３７】
前記実施形態の種々の実施例において、前記機構は、支持具をさまざまなサイズの携帯コンピューティングデバイスに適合させるべく協働するばねシート、ベースプラットフォーム、ばね、などのいくつかの要素を含む。
【００３８】
システムを少なくとも背面内蔵カメラが異なる位置に配置されている点で異なっている携帯コンピューティングデバイスに適合させるために、一実施形態によれば、光学要素は、支持具に対して可動であり、本発明のシステムは、電気モータと可動な光学要素に機械的に接続されたシネマティックチェーンとを含む駆動手段、および支持具に取り付けられた携帯コンピューティングデバイスの背面内蔵カメラの位置を検出するための位置センサを備え、ローカルコンピューティングエンティティは、前記位置センサの出力および前記電気モータの入力に接続され、検出される位置に基づいて光学要素を移動させるように電気モータを制御する。
【００３９】
一実施形態によれば、携帯コンピューティングデバイスは、ユーザＩＤが検証されたならば、
・受信した一連の画像または受信した歪んだ画像を処理し、一連の画像の合成または少なくとも１つの歪んだ画像の歪み補正のそれぞれからユーザの単一のパノラマ画像を得るように構成されたローカルコンピューティングエンティティまたはリモートコンピューティングエンティティに、一連の画像または少なくとも１つの歪んだ画像を送信し、あるいは
・取得した一連の画像または取得した歪んだ画像を処理し、一連の画像の合成または少なくとも１つの歪んだ画像の歪み補正のそれぞれからユーザの単一のパノラマ画像を得る
ように構成される。
【００４０】
さらに、別の実施形態において、本発明の第１の態様のフィッティングルームのシステムは、ユーザが着用した衣類に取り付けられたＩＤタグを読み取る少なくとも１つのタグ符号リーダをさらに備え、ローカルコンピューティングエンティティおよび／またはリモートコンピューティングエンティティは、前記少なくとも１つのタグ符号リーダの出力へと接続され、あるいは前記少なくとも１つのタグ符号リーダの一部を実行することで、ミラーの前方に位置するユーザが着用した衣類を識別するＩＤデータを入手し、取得されたユーザの画像または取得されるユーザの画像に前記ＩＤデータを関連付ける。
【００４１】
本発明の第１の態様は、大部分の国々においてフィッティングルーム内にカメラを配置することはプライバシー問題のために違法であり、したがって本発明は、さまざまな衣類を試着するユーザのポートレート画像を、スマートフォンなどのユーザ自身の携帯コンピューティングデバイスで、ユーザがスマートフォンを自身の手または自撮り棒で直接保持することによって実行する単純な自撮りにおいて得られるよりもはるかに高い品質で取得することを可能にし、取得される画像において、ユーザがスマートフォンを保持するときに生じる奇妙なポーズをとることがなく、ミラーにおける反射を眺めるときと同じポーズをとるがゆえ、ポートレート写真システムの好ましい今日的な用途である。
【００４２】
さらに、フィッティングルームは、通常は小さい寸法であり、すなわち小さな空間を囲んでおり、したがってミラーとユーザとの距離がスマートフォンのカメラで全身の画像を取得するには小さすぎる。したがって、ユーザのパノラマ画像の取得に関する上述の実施形態は、本発明の第１の態様、すなわち本システムのフィッティングルームへの適用において、とくに重要である。
【００４３】
前記第１の態様に代わる本発明の他の態様は、カメラを取り付けることがまた禁止され、あるいは禁止されていないが、ユーザにとって自身の携帯コンピューティングデバイスの内蔵カメラを使用してポートレート写真を実行することを可能にするために本発明のシステムを備えることが重要である他の種類の部屋、キャビン、またはブースなど、本発明の第１の態様のフィッティングルームのシステムの種々の応用に関する。
【００４４】
例えば、現在の写真ブースを、本発明のシステムを備えるブースによって置き換えることができる。
【００４５】
本発明の第１の態様のフィッティングルームのシステムの上述の実施形態のすべては、フィッティングルームに備えられるものではないポートレート写真システムの対応する実施形態にも有効である。
【００４６】
フィッティングルームに備えられるものではないそのようなポートレート写真システムは、家庭での使用にも使用することができ、すなわち、ユーザが自宅で実行することができ、さらには必ずしもブース内でない屋内および屋外の用途にも使用することができる。
【００４７】
前記屋内用途の１つは、ミラーの前方に位置するユーザが本発明のシステムを使用することによってミラーにおいて反射されたのとちょうど同じように特定の背景にて自身の１つ以上のポートレート写真を得ることを知るように、本発明の第１の態様による１つ、好ましくは２つ以上のシステムを、ミュージアムまたは他の会場において、興味深い背景（絵画、彫像、など）の前で実施することであってよい。
【００４８】
同様に、本発明のシステムを、上記の段落において説明したように、屋外の用途に使用することもでき、その場合、背景は、例えば有名な建物、記念碑、または他の観光スポットなど、街のＰＯＩ（関心地点（Ｐｏｉｎｔｓ  ｏｆ  Ｉｎｔｅｒｅｓｔ））であってよい。
【００４９】
本発明のさらなる態様は、ミラーを含まない点で第１の態様のフィッティングルームのシステムから相違する代案のシステムに関する。代わりに、支持具は、スタンド、ポール、ボード、などの構造部材に取り付けられ、あるいは全く取り付けられず、後者の場合は可搬式支持具を構成する。
【００５０】
本発明の追加の態様は、本発明の第１の態様のフィッティングルームのシステムの支持具の特徴を有する支持具に関する。
【００５１】
本発明の前記追加の態様の一実施形態において、支持具は、可搬式支持具である。
【００５２】
前記実施形態の一変種において、支持具は、ミラー、スタンド、ボード、などのユーザが適切であると考える任意の場所に（好ましくは、取り外し可能なやり方で）取り付けられる（例えば、接着剤層、吸着カップ、などの）取り付け手段を含む。
【００５３】
本発明の第２の態様は、本発明の第１の態様のフィッティングルームのポートレート写真システムの少なくとも携帯コンピューティングデバイスおよびローカルコンピューティングエンティティのそれぞれのプロセッサにおいて実行されたときに、上述の通信リンクの確立および画像の取得を含む携帯コンピューティングデバイスおよびローカルコンピューティングエンティティに係わる動作を実行する符号命令を含むコンピュータサブプログラムを含んでいるコンピュータプログラムに関する。
【００５４】
携帯コンピューティングデバイスのプロセッサにおいて実行されるサブプログラムは、好ましくは、上述のアプリケーションプログラムの形態で実現され、これにより、ユーザ（許可され、すなわち自身のユーザＩＤが有効である場合）は、システムによって提供されるサービスにアクセスしてやり取りをすることができ、すなわちポートレート画像を仮想のコミュニティまたはソーシャルネットワークに属する人々と共有し、画像についての意見を求めるために、ポートレート画像を取得し、その後に画像を送付し、処理し、ローカルに保存し、好ましくは遠方に（例えば、クラウドサーバに）保存することができる。
【００５５】
前述の利点および特徴ならびに他の利点および特徴は、添付の図面を参照し、例示であって限定を意味するものではないと考えられるべきいくつかの実施形態の以下の詳細な説明から、さらに充分に理解されるであろう。
【図面の簡単な説明】
【００５６】
【図１】一実施形態について、本発明の第１の態様に従って、フィッティングルームに適用された本発明の第１の態様のフィッティングルームのシステムを概略的に示している。
【図２】図１に示した支持具およびスマートフォンの拡大図であり、その種々の回転位置が示されている。
【図３】一実施形態について、特定のクランプ装置によってスマートフォンに取り付けられた本発明の第１の態様のフィッティングルームのシステムの支持具の斜視図である。
【図４】別の実施形態について、本発明の第１の態様に従って、フィッティングルームに適用された本発明の第１の態様のフィッティングルームのシステムを概略的に示している。
【図５】図４に示した支持具、凸面鏡、およびスマートフォンの拡大図である。
【図６】図１に示した実施形態に関し、本発明のシステムについて考えられる動作プロセスを示すフロー図であるが、図１において番号５および６によって特定される要素およびその動作は含まれていない。
【図７】図１の実施形態にまた適用される図６と同様のフロー図であるが、前記５および６の要素の動作、すなわちＲＦＩＤ読み取りプロセスに関連する動作を含んでいる。
【図８】図４に示した実施形態に関し、本発明のシステムについて考えられる動作プロセスを示すフロー図であるが、図４において番号５および６によって特定される要素およびその動作は含まれていない。
【図９】図４の実施形態にまた適用される図８と同様のフロー図であるが、前記５および６の要素の動作、すなわちＲＦＩＤ読み取りプロセスに関連する動作を含んでいる。
【図１０】一実施形態について、スマートフォンの下部を収容してばねシートによって保持するポケット型結合装置を含む本発明の第１の態様のシステムのフィッティングルームの支持具の前方からの斜視図である。
【図１１】同じ実施形態について、図１０の支持具およびスマートフォンの背後方からの斜視図である。
【図１２】図１０と同様の支持具の前方からの斜視図であるが、さらに凸面鏡および保持フィンガが取り付けられており、保持フィンガは、ポケット型結合装置に収容されたスマートフォンをその上縁によって保持するためのリップ部を有している。
【図１３】支持具が異なるサイズのスマートフォンを交互に収容すべく支持具を調整するための機構をポケット内にさらに備えている別の実施形態について、図１２に示した要素と同じ要素の前方上方からの斜視図を示している。
【図１４】図１３に示した要素と同じ要素の正面からの斜視図であるが、より大きなスマートフォンが支持具のポケット型結合装置の内部に部分的に収容されている点で相違している。
【図１５ａ】図１３と同じ要素および実施形態を示しており、図１５ａ、図１５ｂ、および図１５ｃは、支持具に対するスマートフォンの位置が異なっており、スマートフォンを支持具のポケット型結合装置から取り出すための一連の動きを示している。
【図１５ｂ】図１３と同じ要素および実施形態を示しており、図１５ａ、図１５ｂ、および図１５ｃは、支持具に対するスマートフォンの位置が異なっており、スマートフォンを支持具のポケット型結合装置から取り出すための一連の動きを示している。
【図１５ｃ】図１３と同じ要素および実施形態を示しており、図１５ａ、図１５ｂ、および図１５ｃは、支持具に対するスマートフォンの位置が異なっており、スマートフォンを支持具のポケット型結合装置から取り出すための一連の動きを示している。
【図１６】本発明の第１の態様のフィッティングルームの別の実施形態について、図１０に示した支持具と同様の支持具に取り付けられたスマートフォンおよび凸面鏡を斜視図によって示しており、どちらも壁またはより大きなミラーなどの共通の表面に取り付けられている。
【図１７ａ】本発明の第１の態様のフィッティングルームのシステムの支持具および凸面鏡の別の実施形態を斜視図によって示しており、図１７ａおよび図１７ｂは、２つの異なる動作位置を示している。
【図１７ｂ】本発明の第１の態様のフィッティングルームのシステムの支持具および凸面鏡の別の実施形態を斜視図によって示しており、図１７ａおよび図１７ｂは、２つの異なる動作位置を示している。
【発明を実施するための形態】
【００５７】
本発明の第１の態様のフィッティングルームについて考えられる２つの実施形態が、図１および図４に示されている。
【００５８】
これらの考えられる実施形態の両方において、システムは、ユーザ４が位置するフィッティングルーム３に適用され、
・前方にユーザ４を位置させるミラー９と、
・ミラー９に物理的に取り付けられ、内蔵カメラＤｃを有する複数の携帯コンピューティングデバイスＤのいずれかが交換可能かつ取り外し可能に取り付けられるように構成および配置された支持具２、１２（図において、スマートフォンＤがそれぞれの支持具２、１２に取り付けられている）と、
・支持具２，１２に取り付けられた携帯コンピューティングデバイスＤまたは支持具２，１２に取り付けられる携帯コンピューティングデバイスＤとの通信双方向リンク（ＷｉＦｉ、Ｂｌｕｅｔｏｏｈ、またはＮＦＣなど、好ましくは無線である）を確立させるように構成されたローカルコンピューティングエンティティＳＬと、
・双方向通信（図示の矢印線によって示されるとおり）を、（例えば、３Ｇまたは４Ｇ携帯電話通信ネットワークを介して）携帯コンピューティングデバイスＤと確立させ、さらにローカルコンピューティングエンティティＳＬと確立させるように構成された（クラウドサーバなどの）リモートコンピューティングエンティティＳＲであって、後者の場合は有線（例えば、ＡＤＳＬまたは光ファイバ接続）または無線通信ネットワークを介してリモートコンピューティングエンティティＳＲへと接続されたＷｉＦｉアクセスルータ７を介するリモートコンピューティングエンティティＳＲと
を含む。
【００５９】
上述の双方向通信に関し、上述した通信技術および／またはプロトコルに代えて、任意の他の種類の通信技術および／またはプロトコルを使用することができる。
【００６０】
図１および図４の両方について、そこに図示されているシステムは、ユーザが着用する衣服に取り付けられたＲＦＩＤタグ（図示せず）を読み取るための随意によるＲＦＩＤタグコードリーダを含む。このＲＦＩＤタグコードリーダは、ＲＦＩＤタグの読み取り動作を実行するために協働するＲＦＩＤハブ６に接続された１つ以上のＲＦＩＤアンテナ５を含む。ＲＦＩＤハブ６は、直接またはローカルコンピューティングエンティティＳＬを通じ、この場合にはアクセスルータ７を介して、リモートコンピューティングエンティティＳＲへとＲＦＩＤデータを送信し、リモートコンピューティングエンティティＳＲは、受信したデータを使用して、このＲＦＩＤデータを取得されたユーザの画像または取得されるユーザの画像に関連付ける。
【００６１】
あるいは、ローカルコンピューティングエンティティＳＬが、ＲＦＩＤハブ６から受信したデータからのＲＦＩＤ読み取りプロセスの少なくとも一部を実行する。
【００６２】
図１の実施形態に関して、図２に詳細に示されるように、支持具２は、図２に概略的に示されているように、この場合にはスマートフォンＤへと取り付けられる結合装置を構成し、あるいはそのような結合装置を備える支持具２の部位２ｂと、ミラー９に取り付けられる支持具２の別の部位２ａに取り付けられたアーム２ｃとの間の第１の関節ジョイントＡ１によって、少なくとも１つの水平軸を中心にして複数の位置の間を移動可能である。
【００６３】
図２に示した実施形態の場合、アーム２ｃは、この場合にはアーム２ｃ（したがって、支持具２ｂおよびスマートフォンＤ）をさらなる回転軸を中心にして（手動または自動で）動かすことを可能にするボールジョイントであるさらなる関節ジョイントＡ２によって、部位２ａに取り付けられている。
【００６４】
アーム２ｃおよび関節ジョイントＡ２の両者は、随意による要素であり、すなわち、図示されていない実施形態において、支持具２は、関節ジョイントＡ１を介して部位２ａに直接取り付けられた部位２ｂを備える。
【００６５】
支持具２は、携帯コンピューティングデバイスＤにしっかりと結合し、携帯コンピューティングデバイスＤをユーザの画像を取得するための適切な位置に保持するための結合装置２ｂを備える。図３に示される実施形態の場合、前記結合装置２ｂは、内蔵カメラＤｅを異なる位置に有している複数の異なる携帯コンピューティングデバイスＤについて、スマートフォンＤを内蔵カメラＤｅの視野に干渉することなく（図示のように）保持することができるように、Ｌ字型の断面を有する２つの弾性クランプアームによって実現される。
【００６６】
図示されていない実施形態において、本発明のフィッティングルームのシステムは、結合要素の数、形状、および構成、ならびに／あるいは結合要素の種類（吸着カップ、磁石、など）において図示の結合装置から相違する任意の他の代案の結合装置（カメラＤｅの視野を妨げないという要件を満たしている）を備えることができる。
【００６７】
図１および図４に示した実施形態において、ローカルコンピューティングエンティティＳＬは、支持具２ａ、１２ａ内に配置され、あるいは支持具２ａ、１２ａに取り付けられる単一のブロックの形態で図示されているが、他の実施形態において、このエンティティＳＬは、支持具２，１２のいかなる部位内にも配置されず、あるいは支持具２，１２のいかなる部位にも取り付けられず、むしろ少なくとも部分的に支持具２，１２から離して配置されるが、図１の実施形態に関しては、支持具２ｂを水平軸を中心にして自動的に回転させるために、関節ジョイントＡ１または支持具２ｂに運動学的に接続された電気モータ（図示せず）に接続される。
【００６８】
図１のシステムについて考えられる動作プロセスを示すフロー図が、図６に示されており、ここでは、ローカルコンピューティングエンティティＳＬが、「Ｓｈｅｅｋｒ  Ｄｏｃｋ」という名前で呼ばれ、携帯コンピューティングデバイスＤにおいて実行されるアプリケーションプログラムが、「Ｓｈｅｅｋｒ  Ａｐｐ」と称され、リモートコンピューティングエンティティＳＲが、「Ｓｈｅｅｋｒ  Ｓｅｒｖｅｒ」という名前で呼ばれている。
【００６９】
このフロー図において、「Ｓｈｅｅｋｒ  Ｄｏｃｋ」によって実行される動作は、濃い灰色で示され、Ｓｈｅｅｋｒ  Ｓｅｒｖｅｒによって実行される動作は、薄い灰色で示され、「Ｓｈｅｅｋｒ  Ａｐｐ」によって動作は、白色で示されている。
【００７０】
ユーザは、システムによって提供されるサービスまたは「エクスペリエンス（ｅｘｐｅｒｉｅｎｃｅ）」にアクセスするために「Ｓｈｅｅｋｒ  Ａｐｐ」を使用し、すなわち、このアプリ（ａｐｐ）が、ユーザがフィッティングルームに近づき、あるいは進入するときに、（手動または自動で）実行される。
【００７１】
図６のフロー図によれば、最初に、ここでは「デジタル接続（ｄｉｇｉｔａｌ  ａｔｔａｃｈｉｎｇ）」と呼ばれる上述の双方向リンクが、「Ｓｈｅｅｋｒ  Ｄｏｃｋ」と「Ｓｈｅｅｋｒ  Ａｐｐ」との間で実現される。例えば「Ｓｈｅｅｋｒ  Ｄｏｃｋ」の近くに位置するユーザではない人物のデバイスＤへの望ましくないデジタル接続（この場合、当該他のユーザの携帯デバイスＤが、このデジタル接続に使用される「Ｓｈｅｅｋｒ  Ｄｏｃｋ」の（例えば）ＷｉＦｉトランシーバの対象領域内に位置したときに、このデジタル接続が自動的に確立されてしまう）を避けるために、携帯デバイスＤの物理的な揺動が接続を安全にするために実行され、すなわち（「Ｓｈｅｅｋｒ  Ａｐｐ」を介して）「Ｓｈｅｅｋｒ  Ｄｏｃｋ」に「デジタル接続」されたデバイスＤがミラー９の前方に位置するユーザのものであることを確認／検証するために実行される。
【００７２】
そのデジタル接続が有効でない場合（一般的には、「Ｓｈｅｅｋｒ  Ｄｏｃｋ」によって検証される）、「エクスペリエンス」はキャンセルされる。
【００７３】
デジタル接続が有効である場合、「Ｓｈｅｅｋｒ  Ｄｏｃｋ」は、デジタル接続によってもたらされたリンクを介して読み出された「Ｓｈｅｅｋｒ  ＩＤ」として示されるユーザＩＤを「Ｓｈｅｅｋｒ  Ｓｅｒｖｅｒ」へと自動的に送信する。前記検証は、一般に、「Ｓｈｅｅｋｒ  Ｓｅｒｖｅｒ」によって実行される。「Ｓｈｅｅｋｒ  Ｓｅｒｖｅｒ」は、「Ｓｈｅｅｋｒ  Ｄｏｃｋ」の身元（ｉｄｅｎｔｉｔｙ）も、その身元が「Ｓｈｅｅｋｒ  ＩＤ」を「Ｓｈｅｅｋｒ  Ｓｅｒｖｅｒ」へと送信する「Ｓｈｅｅｋｒ  Ｄｏｃｋ」の通信から推論されるがゆえに「理解」する。
【００７４】
「Ｓｈｅｅｋｒ  ＩＤ」が有効でない（ＩＤが誤っており、あるいはユーザが正規のユーザでない）場合、「エクスペリエンス」はキャンセルされる。
【００７５】
「Ｓｈｅｅｋｒ  ＩＤ」が有効である場合、「Ｓｈｅｅｋｒ  Ｓｅｒｖｅｒ」は「Ｓｈｅｅｋｒ  Ｄｏｃｋ」を作動させ、「Ｓｈｅｅｋｒ  Ｄｏｃｋ」は、第１の回転ステップが実行された後にユーザの第１の写真が撮影され、以下同様にして第４（または、他の数）の回転および撮影まで実行されるように、支持具２および支持具２に取り付けられた携帯デバイスを動かすための電気モータ（図示せず）を制御するとともに、（例えば、Ｂｌｕｅｔｏｏｔｈを介する）「Ｓｈｅｅｋｒ  Ａｐｐ」の制御を通じて携帯デバイスＤの内蔵カメラＤｅの動作も制御する。
【００７６】
ひとたび好ましくはユーザ４の全身をカバーするようにすべての写真が撮影されると、それらは「Ｓｈｅｅｋｒ  Ｄｏｃｋ」によって「Ｓｈｅｅｋｒ  Ｓｅｒｖｅｒ」へと送信され、「Ｓｈｅｅｋｒ  Ｓｅｒｖｅｒ」は、そこからユーザのパノラマ画像を構成し、随意により、生成された画像の関連データ（メタデータなど）でユーザセッションを生成する。
【００７７】
その後に、「エクスペリエンス」は終了し、「Ｓｈｅｅｋｒ  Ｄｏｃｋ」および「Ｓｈｅｅｋｒ  Ａｐｐ」はリセットされ、あるいは単に「Ｓｈｅｅｋｒ  Ｄｏｃｋ」および「Ｓｈｅｅｋｒ  Ａｐｐ」の動作が停止される。
【００７８】
パノラマ画像を、携帯デバイスＤへとダウンロードすることができ、さらには／あるいはソーシャルネットワークまたはコミュニティのユーザなどの他のユーザにとってアクセス可能にし、それらのユーザによるランク付けおよび／または意見の表明を可能にすることができる。
【００７９】
図７は、また図１のシステムについて考えられる動作プロセスに関するフロー図を示しており、図６にきわめて類似しているが、上述のＲＦＩＤタグリーダ５，６の使用をさらに含んでいる。
【００８０】
図７のフロー図は、図６のフロー図と同じステップを含み、アンテナ５からＲＦＩＤデータを取得するさらなるステップが追加されており、アンテナ５からＲＦＩＤデータを取得するステップは、例示の図によれば支持具の回転および写真の撮影の前に実行されるが、他の実施形態においては、これらの後またはこれらと同時に実行されてもよい。
【００８１】
図７のフロー図は、写真を「Ｓｈｅｅｋｒ  Ｓｅｒｖｅｒ」へと送信するステップにおいて、ＲＦＩＤデータも「Ｓｈｅｅｋｒ  Ｓｅｒｖｅｒ」へと送信され、「Ｓｈｅｅｋｒ  Ｓｅｒｖｅｒ」が、パノラマ画像に表れる衣類が適切に識別され、それらの衣類に関連する特徴（価格、サイズ、モデル、色、など）にユーザならびに／あるいはソーシャルネットワークまたはコミュニティのユーザが仮想的にアクセスできるよう、受信したＲＦＩＤデータをパノラマ画像に関連付ける点でも、図６のフロー図から相違する。
【００８２】
図４は、本発明の第１の態様の別の実施形態を示しており、この実施形態は、とりわけ、支持具１２が固定式であり、構造的に異なっている点、およびシステムが、光学要素１０を、支持具１２に取り付けられた携帯コンピューティングデバイスＤの内蔵カメラＤｃに対して、好ましくはユーザの全身であるがユーザの身長に沿った種々の部位を含むユーザの少なくとも１つの歪んだ画像を１回のショットで取得することができるようにするための所定の距離および向きのままであるように支持具１２に取り付けて備えている点で、図１の実施形態から相違している。
【００８３】
とくには、図４に示され、図５にさらに明瞭に示されるように、前記光学要素１０は、ユーザが図示のスマートフォンＤの正面の表示タッチ画面Ｄｓにおいて、図４に示されるとおりの凸面鏡１０上のユーザの歪んだ反射画像を眺めることができ、あるいは好ましくは図５に示されるとおりのアプリケーションプログラムによって実行される歪んだ画像の事前補正によって生成されたユーザの歪みのないプレビュー画像を眺めることができるように、凸側を主ミラー９の前方に位置するユーザに向け、かつ図示の実施形態においては背面内蔵カメラ（すなわち、この技術分野において用語「背面内蔵カメラ」によって理解されるように、携帯コンピューティングデバイスＤの後ろ側の周囲へと向けられた内蔵カメラ）である内蔵カメラＤｃにも向けた凸面鏡である。
【００８４】
凸面鏡１０は、取得された歪んだ画像の歪みを補正してパノラマ画像を得るための処理を助けるために使用されるいくつかの基準マーク１０ｃを含む。
【００８５】
使用時に、スマートフォンＤの正面の表示タッチ画面Ｄｓは、所定の時間の経過後に１つ以上の歪んだ画像の取得を生じさせるべくタイマーのカウントダウンを開始させるためにユーザが押す仮想のボタンなど、スマートフォンＤにおいて動作中のアプリケーションプログラムがもたらすいくつかのグラフィック要素も表示する。
【００８６】
支持具１２もまた、図４および図５に示されるように、携帯コンピューティングデバイスＤにしっかりと結合し、携帯コンピューティングデバイスＤをユーザの画像を取得するための適切な位置に保持するための結合装置１２ｂを備える。図示の実施形態において、この結合装置１２ｂは、スマートフォンＤの下部を収納して保持するポケット型結合装置であるが、他の実施形態（図示せず）においては、他の種類の結合装置（クランプ、磁石、吸着カップ、など）を使用することが可能である。
【００８７】
図４および図５に示されるように、凸面鏡１０とカメラＤｃとの間の上述の所定の距離は、ポケット型結合装置１２ｂと凸面鏡１０が取り付けられた後壁１２ａとを隔てている支持ブリッジ部１２ｃの長さによって定められる。上述の所定の向きは、この場合には、少なくとも水平面において、凸面鏡１０とポケット型結合装置１２ｂの主たる面、したがってスマートフォンＤおよびカメラＤｃの主たる面との間に定められる角度によって決定される。
【００８８】
所定の距離および向き、ならびに凸面鏡１０の凸面は、凸面鏡１０において反射したユーザの画像を取得し、好ましくは基準マーク１０ｃの使用による画像処理によって画像の歪みを補正してパノラマ画像を再現することができるよう、中間のスマートフォンＤによる干渉を避けつつ、スマートフォンＤのカメラＤｃへと反射光を導くような凸面鏡１０におけるユーザ４の反射を可能にするように計算される。
【００８９】
本発明の第１の態様の別の実施形態が、とくには背面内蔵カメラＤｃを備えるスマートフォンＤのための異なる種類の支持具に関し、さらにいくつかの場合においては異なる種類のミラーに関して、図１１〜図１６に示されている。
【００９０】
図１０および図１１に示される実施形態において、支持具２２は、スマートフォンＤの下部を収容してばねシート２２Ｌによってしっかりと保持するポケット型結合装置２２ｂを含む。
【００９１】
支持具２２は、ミラー９へと取り付けられる背面部２２ａと、ミラー９の前方に位置するユーザのポートレート写真画像を取得できるようにするための適切な距離および向きに背面部２２ａが位置するようにポケット型結合装置２２ｂと背面部２２ａとを離間させる中間部２２ｃとをさらに含む。
【００９２】
図１２に示される実施形態において、支持具２２は、凸面鏡１０が支持具２２に取り付けられ、とくには背面部２２ａに取り付けられている点、および支持具２２がポケット型結合装置２２ｂに収容されたスマートフォンＤをその上縁によって保持するためのリップ部２２Ｆを有する保持フィンガを前記背面部２２ａに備えている点で、図１０および図１１の支持具から相違する。
【００９３】
図１３に示される実施形態は、支持具３２の前部またはポケット型結合装置３２ｂが、異なるサイズを有するスマートフォンを交互に収容するように支持具を調整するための機構を含んでいる点で、図１２の実施形態から相違する。
【００９４】
図示の実施形態において、前記機構は、スマートフォンを底部において支持するベースプラットフォーム３２Ｐを備え、このベースプラットフォーム３２Ｐは、ばね要素、とくにはばね３２Ｓおよびばねシート３２Ｌ２（ただし、他の実施形態（図示せず）においては、他の種類および／または数のばねを使用することができる）の上方に配置され、したがってベースプラットフォーム３２Ｐは、スマートフォンＤをポケット型結合装置３２ｂへと挿入する際にスマートフォンＤによって下方に押し下げられ、ばねの作用によってスマートフォンＤの上縁が保持フィンガのリップ部３２Ｆに当接するまでスマートフォンＤを上方に押し、このようにしてスマートフォンＤがベースプラットフォーム３２Ｐ、前記リップ部３２Ｆ、およびばねシート３２Ｌ１によって保持される。
【００９５】
図１３によって示される実施形態においては、凸面鏡１０が、支持具３２の背面部３２ａにまた取り付けられ、支持具３２は、例えば支持具３２が取り付けられた壁またはミラーの前方に位置するユーザのポートレート写真画像を取得できるようにするための適切な距離および向きに背面部３２ａが位置するようにポケット型結合装置３２ｂと背面部３２ａとを離間させる中間部３２ｃを含む。
【００９６】
図１４は、図１３と同じ実施形態を示しているが、より大型のスマートフォンＤが支持具３２のポケット型結合装置３２ｂの内部に部分的に収容され、ベースプラットフォーム３２Ｐ、リップ部３２Ｆ、およびばねシート３２Ｌ１によって保持されている。図示のスマートフォンＤは、図１３に示されているスマートフォンよりも幅および長さが大きく、したがってベースプラットフォーム３２Ｐは、ばねシート３２Ｌ２およびばね３２Ｓの弾性力に逆らって、図１３の実施形態と比べてポケット型機構３２ｂの底部のより近くまで下方に押し下げられており、ばねシート３２Ｌ１は、図１３の実施形態よりもさらに曲がっている。
【００９７】
図１５ａ、図１５ｂ、および図１５ｃが、図１３と同じ要素および実施形態を、支持具３２に対するスマートフォンＤの種々の位置について示しており、ユーザが自身の指をスマートフォンＤの上縁に近づけるとき（図１５ａ）に始まり、次いでユーザが自身の指でスマートフォンＤの上縁に対して圧力を作用させてスマートフォンＤをばね３２Ｓおよびばねシート３２Ｌ２の弾性力に逆らって下方へと押す支持具３２のポケット型結合装置３２ｂからスマートフォンＤを取り出す一連の動きを示している。次に、図１５ｃに示されるように、ユーザは、スマートフォンＤの上端がリップ部３２Ｆの保持から解放され、スマートフォンＤがポケット型結合装置３２ｂから取り出すことができるようにベースプラットフォーム３２Ｐによって上方へと押されるように、リップ部３２Ｆから離れる方向にスマートフォンＤをわずかに引き寄せることができる。
【００９８】
別の実施形態が、図１６に示されており、スマートフォンＤが取り付けられる図１０に示した支持具と同様の支持具２２と、分離した凸面鏡１０とが示されており、どちらも壁Ｗまたはより大きなミラーなどの共通の表面に、壁Ｗの前方に位置するユーザのポートレート写真画像の取得を可能にするための計算された相対位置および適切な相対的な向きにて、取り付けられている。
【００９９】
図１７ａおよび図１７ｂは、支持具４２が２つの部品４２ｂ１および４２ｂ１を含んでおり、これら２つの部品が、直線的な接近／離間の運動によって移動するように互いに連結され、下側の部品４２ｂ２の後部区画４２Ｈの内部に収容されたばね４２Ｒによって互いに接続されている別の実施形態を示している。
【０１００】
部品４２ｂ１および４２ｂ２は、それらの前側（図示の位置による）に、スマートフォンＤが側方に導入されて保持されるハーフポケット型結合構成を協働して備える。
【０１０１】
さらに、凸面鏡１０が、に取り付けられ、上側の部品４２ｂ１は、例えば支持具４２が取り付けられた壁またはミラーの前方に位置するユーザのポートレート写真画像を取得できるようにするための適切な距離および向きに背面部４２ａが位置するように上側の部品４２ｂ１のハーフポケット型結合装置の部位と背面部４２ａとを離間させる中間部４２ｃを含む。
【０１０２】
また、上側の部品４２ｂ１は、ハーフポケット型結合装置に収容されたスマートフォンＤをその上縁によって保持するためのリップ部４２Ｆを有する保持フィンガを備える。
【０１０３】
図１７ａおよび図１７ｂに示される実施形態の支持具４２も、異なるサイズを有するスマートフォンを交互に収容するように支持具４２を調整するための機構を含む。この場合、前記機構は、ばね４２Ｒ、ならびに上側の部品４２ｂ１および下側の部品４２ｂ２を上述の直線変位によって互いに近づけ、あるいは遠ざけることを可能にする上側の部品４２ｂ１および下側の部品４２ｂ２の特定の構成によって実現され、より長いスマートフォンＤにおいては前記部品４２ｂ１、４２ｂ２がお互いからより離れ、より短いスマートフォンＤにおいては（例えば図１７ｂに示される例などのように）互いにより近づく。リップ部４２Ｆも上側の部品４２ｂ１と一緒に移動するため、スマートフォンＤは、その長さにかかわらず上縁によって保持される。
【０１０４】
スマートフォンＤの幅に関しては、部品４２ｂ１，４２ｂ２によって定められるハーフポケット型機構が、側方において開放されているため、任意の幅のスマートフォンを収容することができる。
【０１０５】
図示されていないいくつかの実施形態は、凸面鏡１０の代わりに平坦なミラーを含む点で、図５および図１２〜図１７ｂに示した実施形態から相違する。
【０１０６】
図４のシステムについて考えられる動作プロセスを示すフロー図が、図６および図７のフロー図における用語および灰色による表現体系を使用して、図８および図９に示されている。
【０１０７】
図８のフロー図によれば、まず、「Ｓｈｅｅｋｒ  Ｄｏｃｋ」と「Ｓｈｅｅｋｒ  Ａｐｐ」との間の上述の「デジタル接続」が実行される。図６および図７のフロー図とは対照的に、図８のフロー図については、接続の検証は不要である。
【０１０８】
ひとたびデジタル接続が達成されると、仮想「ＰｈｏｔｏＢｕｔｔｏｎ」が、「Ｓｈｅｅｋｒ  Ａｐｐ」によって起動され、すなわち画面Ｄｓ上に現れる。前記「ＰｈｏｔｏＢｕｔｔｏｎ」を押すことにより、ユーザは、カメラを作動させるためのタイマーのカウントダウンを開始させ、１つ以上の歪んだ写真、一般的にはポーズごとに１つの歪んだ写真を撮影する。
【０１０９】
「Ｓｈｅｅｋｒ  Ａｐｐ」は、「Ｓｈｅｅｋｒ  ＩＤ」および「Ｄｏｃｋ  ＩＤ」を「Ｓｈｅｅｋｒ  Ｓｅｒｖｅｒ」へと送信するようにスマートフォンＤを制御し、「Ｓｈｅｅｋｒ  Ｓｅｒｖｅｒ」は、（受信した「Ｄｏｃｋ  ＩＤ」に関連付けられたＤｏｃｋについての）「Ｓｈｅｅｋｒ  ＩＤ」の検証の実行を担当する。「Ｓｈｅｅｋｒ  ＩＤ」が有効でない（ＩＤが誤っており、あるいはユーザが正規のユーザでない）場合、「エクスペリエンス」はキャンセルされる。
【０１１０】
「Ｓｈｅｅｋｒ  ＩＤ」が有効である場合、「Ｓｈｅｅｋｒ  Ａｐｐ」は、歪んだ写真を「Ｓｈｅｅｋｒ  Ｓｅｒｖｅｒ」へと送信するようにスマートフォンＤを制御し、「Ｓｈｅｅｋｒ  Ｓｅｒｖｅｒ」は、歪んだ写真の凸面歪みの補正を実行して対応するパノラマ画像を得る。
【０１１１】
すべての写真が補正されると、「Ｓｈｅｅｋｒ  Ｓｅｒｖｅｒ」から「Ｓｈｅｅｋｒ  Ｓｅｒｖｅｒ」は、随意により、生成された画像への関連データ（メタデータなど）でユーザセッションを生成する。
【０１１２】
次いで、「エクスペリエンス」は終了し、パノラマ画像を、携帯デバイスＤへとダウンロードすることができ、さらには／あるいは（図に示されているように）検証済みのモバイルレポジトリに配置することができ、さらには／あるいはソーシャルネットワークまたはコミュニティのユーザなどの他のユーザにとってアクセス可能にし、それらのユーザによるランク付けおよび／または意見の表明を可能にすることができる。
【０１１３】
図８のフロー図のいくつかのステップの順序は、図示の順序と違ってもよい。例えば、写真の撮影を、「Ｓｈｅｅｋｒ  ＩＤ」の検証の後で行うことができる。
【０１１４】
図７と同様に、図９は、図８のフロー図にきわめてよく似たフロー図を示しているが、上述したＲＦＩＤタグリーダ５，６の使用も含んでいる。
【０１１５】
図９のフロー図は、図８のフロー図と同じステップを含むが、ここでのいわゆる「Ｓｈｅｅｋｒ  Ｃｏｎｖｅｘ  Ｄｏｃｋ」（すなわち、ローカルコンピューティングエンティティＳＬ）に対する「Ｓｈｅｅｋｒ  Ａｐｐ」によるＲＦＩＤデータの要求が追加されており、「Ｓｈｅｅｋｒ  Ｃｏｎｖｅｘ  Ｄｏｃｋ」は、この要求に応答して、ＲＦＩＤアンテナの最終のデータを取得し、このデータを「Ｓｈｅｅｋｒ  Ａｐｐ」へと送信する。この場合、「Ｓｈｅｅｋｒ  Ａｐｐ」は、歪んだ写真と一緒にＲＦＩＤデータも「Ｓｈｅｅｋｒ  Ｓｅｒｖｅｒ」に送信し、「Ｓｈｅｅｋｒ  Ｓｅｒｖｅｒ」は、好ましくは、パノラマ画像に表れる衣類が適切に識別され、それらの衣類に関連する特徴（価格、サイズ、モデル、色、など）にユーザならびに／あるいはソーシャルネットワークまたはコミュニティのユーザが仮想的にアクセスできるよう、受信したＲＦＩＤデータをパノラマ画像に関連付ける。
【０１１６】
当業者であれば、添付の特許請求の範囲に定められる本発明の範囲から逸脱することなく、上述の実施形態において変更および修正を導入することが可能である。
【図１】
2019522824.tif 000003
【図２】
2019522824.tif 000004
【図３】
2019522824.tif 000005
【図４】
2019522824.tif 000006
【図５】
2019522824.tif 000007
【図６】
2019522824.tif 000008
【図７】
2019522824.tif 000009
【図８】
2019522824.tif 000010
【図９】
2019522824.tif 000011
【図１０】
2019522824.tif 000012
【図１１】
2019522824.tif 000013
【図１２】
2019522824.tif 000014
【図１３】
2019522824.tif 000015
【図１４】
2019522824.tif 000016
【図１５ａ】
2019522824.tif 000017
【図１５ｂ】
2019522824.tif 000018
【図１５ｃ】
2019522824.tif 000019
【図１６】
2019522824.tif 000020
【図１７ａ】
2019522824.tif 000021
【図１７ｂ】
2019522824.tif 000022
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
・ミラー（９、１０）と、
・前記ミラー（９、１０）に対し、少なくとも１つの内蔵カメラを有しているコンピューティングデバイスを、前記内蔵カメラが前記ミラー（９、１０）の前方に位置するユーザの画像を取得すべく位置するように取り付けるための取り付け手段と
を備えるフィッティングルームであって、
前記コンピューティングデバイスが、内蔵カメラ（Ｄｃ）を有する携帯コンピューティングデバイス（Ｄ）であること、
・前記取り付け手段が、前記ミラー（９、１０）または前記ミラーに固定された構造部材（Ｗ）に物理的に取り付けられた支持具（２、１２、２２、３２）を備え、前記支持具（２、１２、２２、３２）は、内蔵カメラ（Ｄｃ）を有する複数の前記携帯コンピューティングデバイス（Ｄ）の任意のいずれかが入れ換え可能かつ取り外し可能に取り付けられるように構成および配置されていること、および
・当該フィッティングルームが、前記支持具（２、１２、２２、３２）に取り付けられた携帯コンピューティングデバイス（Ｄ）の内蔵カメラ（Ｄｃ）で前記ミラー（９、１０）の前方に位置するユーザの１つ以上の画像を取得するために、前記支持具（２、１２）に取り付けられた携帯コンピューティングデバイス（Ｄ）または前記支持具（２、１２）に取り付けられる携帯コンピューティングデバイス（Ｄ）との通信リンクを確立させるように構成されたローカルコンピューティングエンティティ（ＳＬ）を備えるシステムをさらに備えること、
を特徴とするフィッティングルーム。
【請求項２】
前記システムは、前記支持具（２、１２、２２、３２）に取り外し可能に取り付けられた前記携帯コンピューティングデバイス（Ｄ）と、前記ローカルコンピューティングエンティティ（ＳＬ）とを備えるポートレート写真システムである、請求項１に記載のフィッティングルーム。
【請求項３】
前記通信リンクは、有線または無線の通信双方向リンクであり、前記ローカルコンピューティングエンティティ（ＳＬ）および前記携帯コンピューティングデバイス（Ｄ）は、前記携帯コンピューティングデバイス（Ｄ）が前記支持具（２、１２、２２、３２）に取り付けられたならば互いに前記有線または無線の通信双方向リンクを自動的に確立させるように構成されている、請求項１または２に記載のフィッティングルーム。
【請求項４】
前記通信リンクは、有線または無線の通信双方向リンクであり、前記ローカルコンピューティングエンティティ（ＳＬ）および前記携帯コンピューティングデバイス（Ｄ）は、少なくとも識別の目的のために、前記ローカルコンピューティングエンティティ（ＳＬ）と前記携帯コンピューティングデバイスとの間の一意の関連付けを実行するために、前記携帯コンピューティングデバイス（Ｄ）が前記ローカルコンピューティングエンティティ（ＳＬ）に近接する所定の領域内に位置したならば互いに前記有線または無線の通信双方向リンクを自動的に確立させるように構成されている、請求項１または２に記載のフィッティングルーム。
【請求項５】
前記ローカルコンピューティングエンティティ（ＳＬ）は、少なくとも前記携帯コンピューティングデバイス（Ｄ）に一意に関連付けられた前記携帯コンピューティングデバイス（Ｄ）に関するユーザＩＤまたは前記携帯コンピューティングデバイス（Ｄ）において動作中のアプリケーションプログラムに関連付けられたユーザＩＤを、前記通信双方向リンクを介して受信し、前記ユーザＩＤを識別および検証するように構成されている、請求項３または４に記載のフィッティングルーム。
【請求項６】
前記システムは、前記携帯コンピューティングデバイス（Ｄ）および／または前記ローカルコンピューティングエンティティ（ＳＬ）との双方向通信を確立させ、少なくとも前記携帯コンピューティングデバイス（Ｄ）に関連付けられ、前記ローカルコンピューティングエンティティ（ＳＬ）に一意に関連付けられ、あるいは前記携帯コンピューティングデバイス（Ｄ）において動作中のアプリケーションプログラムに関連付けられたユーザＩＤを受信し、前記ユーザＩＤを識別および検証するように構成されたリモートコンピューティングエンティティ（ＳＲ）をさらに備える、請求項３から５のいずれか一項に記載のフィッティングルーム。
【請求項７】
前記ローカルコンピューティングエンティティ（ＳＬ）は、自身で、または前記リモートコンピューティングエンティティ（ＳＲ）の制御のもとで、前記ミラー（９）の前方に位置するユーザの１つ以上の画像を取得すべく前記携帯コンピューティングデバイス（Ｄ）の前記少なくとも１つの内蔵カメラ（Ｄｃ）を制御するように構成されている、請求項５または６に記載のフィッティングルーム。
【請求項８】
前記支持具（２）は、単独での前記ローカルコンピューティングエンティティ（ＳＬ）または前記リモートコンピューティングエンティティ（ＳＲ）の制御下の前記ローカルコンピューティングエンティティ（ＳＬ）の制御のもとで、少なくとも１つの水平軸を中心にして複数の位置の間を移動可能であり、前記支持具（２）は、前記ユーザＩＤが検証されたならば、ユーザの身長に沿って一連のユーザの異なる部位をカバーする画像が取得されるように、前記複数の位置の各々について少なくとも１つの画像が取得されるように前記１つ以上の画像の取得に同期して前記複数の位置の間を移動可能である、請求項７に記載のフィッティングルーム。
【請求項９】
前記支持具（１２、２２、３２）は、固定されており、前記システムは、ユーザの身長に沿った異なる部位を含むユーザの少なくとも１つの歪んだ画像を単一のショットで取得できるよう、前記支持具（１２、２２、３２）に取り付けられた携帯コンピューティングデバイス（Ｄ）の少なくとも１つの内蔵カメラ（Ｄｃ）に対して所定の距離または向きに保たれるように前記支持具（１２、２２、３２）に取り付けられた光学要素（１０）を含む、請求項５から７のいずれか一項に記載のフィッティングルーム。
【請求項１０】
前記ミラー（９）は、主ミラーであり、前記光学要素（１０）は、凸面を前記主ミラー（９）の前方に位置するユーザに面し、かつ背面内蔵カメラである前記内蔵カメラ（Ｄｃ）にも面するように位置させた凸面鏡であり、前記携帯コンピューティングデバイス（Ｄ）は、前記少なくとも１つの歪んだ画像の取得を生じさせるためのタイマーのカウントダウンを開始させるためにユーザによって押される仮想のボタンを含む前記携帯コンピューティングデバイス（Ｄ）において動作中の前記アプリケーションプログラムによってもたらされるグラフィック要素を表示し、かつ前記凸面鏡（１０）上の前記ユーザの歪んだ反射画像または前記アプリケーションプログラムによって実行される歪んだ画像の事前補正によって生成されるユーザの歪みのないプレビュー画像も表示する前面表示タッチ画面（Ｄｓ）を備えている、請求項９に記載のフィッティングルーム。
【請求項１１】
前記支持具（２、１２、２２、３２）は、前記携帯コンピューティングデバイス（Ｄ）にしっかりと結合して前記ユーザの画像を取得するための適切な位置に保持する結合装置（２ｂ、１２ｂ、２２ｂ、３２ｂ）を備える、請求項１から１０のいずれか一項に記載のフィッティングルーム。
【請求項１２】
前記光学要素（１０）は、前記支持具（１２）に対して可動であり、前記システムは、電気モータと前記可動な光学要素に機械的に接続されたシネマティックチェーンとを含む駆動手段、および前記支持具（１２）に取り付けられた携帯コンピューティングデバイス（Ｄ）の背面内蔵カメラ（Ｄｃ）の位置を検出するための位置センサを備え、前記ローカルコンピューティングエンティティ（ＳＬ）は、少なくともそれぞれの背面内蔵カメラ（Ｄｃ）が異なる位置に配置されているという点において相違する携帯コンピューティングデバイス（Ｄ）に合わせて前記システムを調整するために、前記位置センサの出力および前記電気モータの入力に接続され、前記検出される位置に基づいて前記光学要素を移動させるべく前記電気モータを制御する、請求項９または１０に従属するときの請求項１１に記載のフィッティングルーム。
【請求項１３】
前記携帯コンピューティングデバイス（Ｄ）は、前記ユーザＩＤが検証されたならば、
・受信した一連の画像または受信した歪んだ画像を処理し、一連の画像の合成または少なくとも１つの歪んだ画像の歪み補正のそれぞれから前記ユーザの単一のパノラマ画像を得るように構成された前記ローカルコンピューティングエンティティ（ＳＬ）または前記リモートコンピューティングエンティティ（ＳＲ）に、前記一連の画像または前記少なくとも１つの歪んだ画像を送信し、あるいは
・取得した一連の画像または取得した歪んだ画像を自身で処理し、一連の画像の合成または少なくとも１つの歪んだ画像の歪み補正のそれぞれから前記ユーザの単一のパノラマ画像を得る
ように構成されている、請求項２に従属するときの請求項７から１０のいずれか一項に記載のフィッティングルーム。
【請求項１４】
前記システムは、前記ユーザが着用した衣類に取り付けられたＩＤタグを読み取る少なくとも１つのタグ符号リーダ（５、６）をさらに備え、前記ローカルコンピューティングエンティティ（ＳＬ）および／または前記リモートコンピューティングエンティティ（ＳＲ）は、前記少なくとも１つのタグ符号リーダ（５、６）の出力へと接続され、あるいは前記少なくとも１つのタグ符号リーダ（５、６）の一部を実行することで、前記ミラー（９）の前方に位置するユーザが着用した衣類を識別するＩＤデータを入手し、取得されたユーザの画像または取得されるユーザの画像に前記ＩＤデータを関連付ける、請求項１から１３のいずれか一項に記載のフィッティングルーム。
【請求項１５】
前記ローカルコンピューティングエンティティ（ＳＬ）および前記携帯コンピューティングデバイス（Ｄ）は、前記携帯コンピューティングデバイス（Ｄ）が揺動させられていることを表す信号が前記ローカルコンピューティングエンティティ（ＳＬ）によって受信された場合に限り、互いに前記有線または無線の通信双方向リンクを自動的に確立させるように構成され、前記携帯コンピューティングデバイス（Ｄ）は、自身のシェイクを検出し、該検出に応答して前記信号を生成して前記ローカルコンピューティングエンティティ（ＳＬ）へと送信するためのセンサ手段を含み、前記ローカルコンピューティングエンティティ（ＳＬ）は、前記有線または無線の通信双方向リンクを自動的に確立させるために前記信号を受信して処理するように構成されている、請求項５から７のいずれか一項に記載のフィッティングルーム。
【請求項１６】
前記支持具（２２）は、前記ミラー（９）が前記支持具（２２）に取り付けられた携帯コンピューティングデバイス（Ｄ）の少なくとも１つの内蔵カメラ（Ｄｃ）に対してユーザの身長に沿った異なる部位を含むユーザの少なくとも１つの画像を単一のショットで取得できるようにするための所定の距離および向きに位置し続けるように、固定されており、前記ミラー（９）へと取り付けられている、請求項５から７のいずれか一項に記載のフィッティングルーム。
【請求項１７】
前記支持具（２２、３２）は、固定されており、前記構造部材（Ｗ）または前記ミラー（９）へと取り付けられており、前記システムは、前記支持具（２２、３２）に取り付けられた携帯コンピューティングデバイス（Ｄ）の少なくとも１つの内蔵カメラ（Ｄｃ）に対してユーザの身長に沿った異なる部位を含むユーザの少なくとも１つの歪んだ画像を単一のショットで取得できるようにするための所定の距離および向きに位置し続けるように、前記構造部材（Ｗ）またはミラー（９）にまた取り付けられた別の光学要素（１０）を含んでいる、請求項５から７のいずれか一項に記載のフィッティングルーム。
【請求項１８】
前記支持具（２２）および前記光学要素（１０）は、前記構造部材（Ｗ）へと取り付けられ、前記光学要素（１０）は、凸面鏡である前記ミラー（９、１０）であって、凸面を前記構造部材（Ｗ）の前方に位置するユーザに向け、かつ前記凸面鏡（１０）に向けられた前記内蔵カメラ（Ｄｃ）にも向けており、前記携帯コンピューティングデバイス（Ｄ）は、前記少なくとも１つの歪んだ画像の取得を生じさせるためのタイマーのカウントダウンを開始させるためにユーザによって押される仮想のボタンを含む前記携帯コンピューティングデバイス（Ｄ）において動作中の前記アプリケーションプログラムによってもたらされるグラフィック要素を表示し、かつ前記凸面鏡（１０）上の前記ユーザの歪んだ反射画像または前記アプリケーションプログラムによって実行される歪んだ画像の事前補正によって生成されるユーザの歪みのないプレビュー画像も表示する前面表示タッチ画面（Ｄｓ）を備えている、請求項１７に記載のフィッティングルーム。
【請求項１９】
前記ミラー（９）は、前記支持具（１２）および前記光学要素（１０）が取り付けられた主ミラーであり、前記光学要素（１０）は、凸面鏡であって、凸面を前記主ミラー（９）の前方に位置するユーザに向け、かつ前記凸面鏡（１０）に向けられた前記内蔵カメラ（Ｄｃ）にも向けており、前記携帯コンピューティングデバイス（Ｄ）は、前記少なくとも１つの歪んだ画像の取得を生じさせるためのタイマーのカウントダウンを開始させるためにユーザによって押される仮想のボタンを含む前記携帯コンピューティングデバイス（Ｄ）において動作中の前記アプリケーションプログラムによってもたらされるグラフィック要素を表示し、かつ前記凸面鏡（１０）上の前記ユーザの歪んだ反射画像または前記アプリケーションプログラムによって実行される歪んだ画像の事前補正によって生成されるユーザの歪みのないプレビュー画像も表示する前面表示タッチ画面（Ｄｓ）を備えている、請求項１７に記載のフィッティングルーム。
【請求項２０】
前記支持具（２、１２、２２、３２）は、異なる寸法を有する複数の携帯コンピューティングデバイス（Ｄ）の任意のいずれかが入れ換え可能かつ取り外し可能に取り付けられるように構成および配置されている、請求項１から１９のいずれか一項に記載のフィッティングルーム。
【請求項２１】
請求項１から２０のいずれか一項に記載のフィッティングルームの前記システムの少なくとも前記携帯コンピューティングデバイス（Ｄ）および前記ローカルコンピューティングエンティティ（ＳＬ）のそれぞれのプロセッサにおいて実行されたときに、前記通信リンクの確立および前記画像の取得を含む前記携帯コンピューティングデバイス（Ｄ）および前記ローカルコンピューティングエンティティ（ＳＬ）に係わる動作を実行する符号命令を含むコンピュータサブプログラムを含んでいるコンピュータプログラム。
【国際調査報告】
2019522824.tif 000023
2019522824.tif 000024
2019522824.tif 000025